(57)【要約】【課題】多数の映像データを録画した場合でも、簡易に録画した番組を画面に表示することが可能な録画再生装置、およびＨＤＤ内蔵型ディジタルテレビジョンの提供を目的とする。【解決手段】マイク１８より取得された音声情報より、ＲＯＭ１３ｃが記録する音声認識プログラム１００に基づいてＨＤＤ１５ａに記録された映像データの再生を自動で行う。このとき、ＲＯＭ１３ｃに記録された制御プログラム１００は、音声情報を予め登録された時間帯のみ受け付けるとともに、受け付けた音声情報に基づいて再生する映像データの選択を行う。【選択図】図１
2008103910.tif 000002
【特許請求の範囲】
【請求項１】
入力された映像データをＨＤＤに記録する録画再生装置を有するＨＤＤ内蔵型ディジタルテレビジョンにおいて、
音声情報を取得するマイクと、
リモコン装置を介して入力された操作信号を基に当該ＨＤＤ内蔵型ディジタルテレビジョンを制御するマイコンと、
上記マイコンが起動するためのプログラムやテーブルを記録する不揮発性メモリとを有し、
上記不揮発性メモリは、上記マイクが取得した音声情報を上記マイコンが音声認識を用いて認識する音声認識プログラムと、
上記ＨＤＤに記録される映像データの履歴情報が記録された履歴テーブルと、
上記取得された音声情報と、上記履歴テーブルの参照する箇所を指定するコマンド情報とを対応付けて記録するコマンドテーブルとを記録し、
上記音声認識プログラムは、上記マイクから入力される音声情報を予め登録された時間帯で受け付け、且つ、上記マイコンが、取得した音声情報を音声認識することで、上記コマンドテーブルより再生を行う映像データの条件であるコマンド情報を取得し、さらに、取得したコマンド情報を基に、上記履歴情報を参照し、上記ＨＤＤに記録された映像データを選択して再生するよう指示を出す構成であることを特徴とするＨＤＤ内蔵型ディジタルテレビジョン。
【請求項２】
入力されたビデオ信号を記録手段に録画する記録再生装置において、
ユーザが発声した音声情報が入力される音声入力手段と、
上記音声入力手段から入力された音声情報を認識する音声認識手段と、
上記取得された音声情報と、上記記録手段に記録された映像データの履歴情報とを対応付けて記録するデータ履歴記録手段と、
上記音声認識手段が音声認識を行った結果に基づいて、上記データ履歴記録手段に記録された履歴を参照して、再生するビデオ信号を上記記録手段から自動で選択して再生するデータ再生装置とを有することを特徴とする記録再生装置。
【請求項３】
上記データ再生装置は、上記音声認識手段が音声認識した結果を所定の時間帯にだけ受け付けることを特徴とする請求項２に記載の記録再生装置。
【請求項４】
上記データ履歴記録手段は、上記記録手段に記録された映像データの再生頻度や、上記映像データに対応する番組の録画頻度を記録することを特徴とする請求項２または請求項３のいずれかに記載の記録再生装置。
【請求項５】
上記データ再生装置は、音声認識の結果を受け付ける時間帯に基づいて、上記データ履歴記録手段に記録された履歴の参照条件を変更することにより、再生する時間に応じて再生するビデオ信号を選択することを特徴とする請求項２〜請求項４のいずれかに記載の記録再生装置。
【発明の詳細な説明】
【技術分野】
【０００１】
記録媒体に映像データを記録する記録再生装置において、特に所定の条件にて映像データを再生する記録再生装置、および上記記録再生装置を利用したＨＤＤ内蔵型ディジタルテレビジョンに関する。
【背景技術】
【０００２】
番組の録画予約または受信予約を行う発明としては、以下のような発明が開示されている。図７は従来の録画再生装置１のブロック構成図である。同図より、録画再生装置１は、テレビジョン放送を受信するチューナ部２と、チューナ部２から入力されたビデオ信号を記録する記録媒体３、全体を制御するための制御部４、テレビジョン装置等の外部機器と接続する外部入出力端子５とを有する構成である（例えば、特許文献１参照。）。上記構成により、録画再生装置１は、録画時には、チューナ部２はテレビジョン放送よりビデオ信号を抽出し、記録媒体３に出力する。このとき、コントローラ４にて所定の録画モードが選定され、記録媒体３の記録領域に映像データを記録する。また、再生時には、コントローラ４は、所定の記録領域に記録された映像データを読み出し、圧縮を解凍した後、外部入出力端子５を介してビデオ信号をテレビジョン装置等の外部機器に出力する。
【０００３】
上述した録画再生装置１においては、再生時にユーザが記録媒体３に記録された映像データを選択する際、画面を見ながら選択を行えるよう検索リストを作成して、ＨＤＤ内蔵型ディジタルテレビジョンに出力する。ユーザは、画面上に再生された検索リストを参照しつつ、リモコン装置６を操作して録画された所望の番組を再生する。また、現在記録媒体の記録容量は増加傾向にあり、さらにはデータ圧縮技術の進歩と相まって、数多くの番組を録画することが可能である。このような場合、画面に表示される検索リストは膨大な量となり、ユーザはその中から所望の番組を選択して再生する必要がある。そのため、ユーザは番組を再生するのに、多大な労力を払うこととなる。
【０００４】
上述した、再生時におけるユーザの労力を軽減するための、音声認識を用いることでユーザからの音声により、記録媒体に記録された映像データの呼び出しを行う方法が開示されている（例えば、特許文献２、特許文献３参照。）。
【０００５】
また、再生時におけるユーザの労力を軽減するために、ユーザの視聴履歴や視聴する時間帯を基に検索リストを作成して、電源投入時に上記検索リストを表示する方法が開示されている。（例えば、特許文献４参照。）。
【０００６】
そして、録画した映像データを再生する場合に限定されず、連続性のある番組の一部を見逃すのを防止するために、視聴する番組を予め登録しておき、登録した番組と異なる番組を表示させた場合は、画面上で警告する方法が開示されている（例えば、特許文献５参照。）。
【特許文献１】特開２００３−６１０００
【特許文献２】特開２００４−２６０５４４
【特許文献３】特開２００１−３０９２５６
【特許文献４】特開２００６−４１６６８
【特許文献５】特開２００５−３９６８１
【発明の開示】
【発明が解決しようとする課題】
【０００７】
上述した特許文献２、および特許文献３の発明は、次のような課題があった。つまり、音声認識により再生する映像を選択することにより、ユーザがリモコン装置を操作する必要がなく操作を簡略化することはできるが、録画する番組が多数に上る場合は、選択される各番組に対応した多くの認識される音声情報を用意する必要がある。そのため、ユーザは、上記した音声と番組との対応を覚えておく必要があり実用的ではない。
【０００８】
また、特許文献４の発明は、次のような課題があった。つまりユーザの視聴履歴や視聴する時間帯を基に検索リストを作成するが、以前としてリモコン装置を用いた操作が必要となり、操作キーが多いリモコン装置の場合では、操作キーの選択に労力を必要としてしまう。
【０００９】
さらに、特許文献５の発明は、次のような課題があった。つまり、特許文献５の発明は、視聴予約に限定されたものであり、再生時に適応できるものではない。このため、再生時におけるユーザの労力を軽減することができない。
【００１０】
本発明は、上記課題にかんがみてなされたもので、多数の映像データを録画した場合でも、簡易に録画した番組を画面に表示することが可能な録画再生装置、およびＨＤＤ内蔵型ディジタルテレビジョンの提供を目的とする。
【課題を解決するための手段】
【００１１】
上記課題を解決するために、本発明の請求項２にかかる発明では、入力されたビデオ信号を記録手段に録画する記録再生装置において、
ユーザが発声した音声が入力される音声入力手段と、上記音声入力手段から入力された音声を認識する音声認識手段と、上記記録手段に記録された映像データの履歴を記録するデータ履歴記録手段と、上記音声入力手段が音声認識を行った結果に基づいて、上記データ履歴記録手段に記録された履歴を参照して、再生するビデオ信号を上記記録手段から自動で選択して再生する音声入力再生手段とを有する構成としている。
【００１２】
上記のように構成した発明では、記録手段にビデオ信号を記録する際、データ履歴記録手段にて、番組タイトルやジャンル等の履歴情報を作成する。履歴情報は、番組タイトルやジャンル等に限定されず、再生頻度や、同タイトルのビデオ信号を録画した録画頻度を記録しておくことが可能である。その後、記録手段に記録したビデオ信号を再生する場合は、ユーザが音声入力手段から音声情報を入力する。音声認識手段は入力された音声情報に対して音声認識を実行して、予め登録されたコマンドと比較を行う。音声情報と登録されたコマンドとが一致した場合は、音声入力再生手段は、データ履歴記録手段に基づいて、記録手段に記録されたビデオ信号の中から再生するビデオ信号を選択して再生を行う。そのため、多数のビデオ信号を録画した場合でも、音声情報を入力するだけで、所定の放送を再生することができるため、ユーザは簡易な操作にて録画した番組を再生することが可能となる。
【００１３】
録画再生装置を使用するユーザの中には、使用する時間が限定されているユーザも存在する。つまり、平日の夜までは、出勤等により外出しており、帰宅時間が夜以降になるユーザにおいては、当然録画再生装置を使用する時間帯も限定されることとなる。そのため、請求項３に記載の発明では、上記データ再生装置は、上記音声認識手段が音声認識した結果を所定の時間帯にだけ受け付ける構成としている。
上記のように構成した発明では、音声認識手段は、予め登録された時間帯のみ音声情報を受け付ける。これにより、録画再生装置を使用しない時間帯や、音声入力を使用しない時間において、外部からノイズを音声情報と誤認識して誤動作を起こすのを防止することができる。
【００１４】
また、データ履歴記録手段が記録する履歴情報の具体的な構成の一例として、請求項４に記載の発明では、上記データ履歴記録手段は、上記記録手段に記録されたビデオ信号の再生頻度や、記録されたビデオ信号と同ジャンルの番組の録画頻度を記録する構成としてある。
上記のように構成された発明では、音声入力再生手段が、再生するビデオ信号の選択に用いる履歴情報として、ビデオ信号の再生頻度や、記録されたビデオ信号と同ジャンルの番組の録画頻度を基に、再生するビデオ信号の選択を行う。このため、ユーザは、データ履歴記録手段に予め再生したいビデオ信号に対応した履歴情報を登録しておくことで、ユーザの所望の番組を再生することが可能となる。
【００１５】
音声情報の入力を受け付ける時間帯は一つの時間帯に限定されず、予め登録しておけば、複数の時間帯に音声情報を受け付けることが可能である。録画再生装置を使用するユーザの中には、ビデオ信号の再生時間に応じて、再生する番組のジャンルを変更したい場合も存在する。そのため、請求項５に記載の発明は、上記データ再生装置は、音声認識の結果を受け付ける時間帯に基づいて、上記データ履歴記録手段に記録された履歴の参照条件を変更することにより、再生する時間に応じて再生するビデオ信号を選択する構成としている。
【００１６】
上記のように構成した発明では、音声情報を受け付ける時間帯に応じて、データ履歴記録手段に記録された履歴情報の参照項目を変化させる。ゆえに、音声情報が入力される時間帯に応じて、再生する番組の種類が変化する構成となる。そのため、ユーザは予め音声情報を入力する時間に応じて、所望の番組を再生できるよう履歴情報を登録しておくことにより、再生する時間帯に応じた所望の番組を視聴することが可能となる。
【００１７】
さらに上述した課題を解決するための具体的な構成の一例として、請求項１に記載の発明は、入力された映像データをＨＤＤに記録する録画再生装置を有するＨＤＤ内蔵型ディジタルテレビジョンにおいて、
音声情報を取得するマイクと、リモコン装置を介して入力された操作信号を基に当該ＨＤＤ内蔵型ディジタルテレビジョンを制御するマイコンと、上記マイコンが起動するためのプログラムやテーブルを記録する不揮発性メモリとを有し、上記不揮発性メモリは、上記マイクが取得した音声情報を上記マイコンが音声認識を用いて認識する音声認識プログラムと、上記ＨＤＤに記録される映像データの履歴情報が記録された履歴テーブルと、上記取得された音声情報と、上記履歴テーブルの参照する箇所を指定するコマンド情報とを対応付けて記録するコマンドテーブルとを記録し、上記音声認識プログラムは、上記マイクから入力される音声情報を予め登録された時間帯で受け付け、且つ、上記マイコンが、取得した音声情報を音声認識することで、上記コマンドテーブルより再生を行う映像データの条件であるコマンド情報を取得し、さらに、取得したコマンド情報を基に、上記履歴情報を参照し、上記ＨＤＤに記録された映像データを選択して再生するよう指示を出す構成である。
【発明の効果】
【００１８】
以上説明したように本発明によれば、ユーザは簡易な操作にて録画した番組を再生することが可能となる。
また請求項３にかかる発明によれば、外部からノイズを音声情報と誤認識して誤動作を起こすのを防止することができる。
そして請求項４にかかる発明によれば、ユーザの所望の番組を再生することが可能となる。
さらに請求項５にかかる発明によれば、再生する時間帯に応じた所望の番組を視聴することが可能となる。
さらに請求項１のような、より具体的な構成において、上述した請求項２〜請求項５の各発明と同様の作用を奏することはいうまでもない。
【発明を実施するための最良の形態】
【００１９】
以下、下記の順序に従って本発明の録画再生装置を組み込んだＨＤＤ内蔵型ディジタルテレビジョン１０の実施形態を説明する。しかしながら、本発明はＨＤＤ内蔵型ディジタルテレビジョンに限定されず、本発明の録画再生装置を組み込むものなら応用することが可能である。
（１）第一の実施の形態
（１−１）本発明のＨＤＤ内蔵型ディジタルテレビジョンの構成
（１−２）音声認識の方法
（１−３）音声情報による再生方法
（２）第一の実施の形態のまとめ
（３）第二の実施の形態
（４）第二の実施の形態のまとめ
【００２０】
（１）第一の実施の形態
（１−１）本発明のＨＤＤ内蔵型ディジタルテレビジョンの構成
以下、図１〜図４を参照して、この発明に係るＨＤＤ内蔵型ディジタルテレビジョンを具体化した第１の実施の形態について説明する。図１は本発明のＨＤＤ内蔵型ディジタルテレビジョン１０のブロック構成図である。ＨＤＤ内蔵型ディジタルテレビジョン１０は、テレビジョン放送または、外部からのビデオ信号を受信して、映像と音声を出力するとともに、取得したビデオ信号を内蔵する記録媒体であるＨＤＤに記録することが可能である。さらには、ＨＤＤに記録された映像データは、ユーザから取得した音声情報に基づいて自動で再生を行う構成としている。
【００２１】
上述した機能を実現するため、ＨＤＤ内蔵型ディジタルテレビジョン１０は、アンテナ２０が受信するテレビジョン放送よりユーザが所望のビデオ信号を検波するチューナ部１１と、外部機器と接続してビデオ信号を受信する外部入力端子１９と、チューナ部１１および外部入力端子１９より受信したビデオ信号より、映像信号、音声信号、および同期信号とを分離する同期分離回路１２と、同期分離回路１２が分離した映像信号と音声信号にマイコン１３ａの指示の基、所定の信号処理を施す信号処理部１３と、リモコン装置３０の操作による指示をマイコン１３ａに出力するリモコンＩ／Ｆ１４と、入力されたビデオ信号を記録するＨＤＤ記録部１５と、映像を表示するための表示パネル１６、音声を出力するためのスピーカ１７とから構成されている。さらに、ユーザが発声した音声を音声情報として受け付けるマイク１８とを有している。
【００２２】
本発明の実施の形態でのマイク１８は、当該ＨＤＤ内蔵型ディジタルテレビジョン１０に対して図示しない接続端子を介して取り外し可能に接続され、音声情報をＨＤＤ内蔵型ディジタルテレビジョン１０に入力する。また、マイク１８の構成としては、当該ＨＤＤ内蔵型ディジタルテレビジョン１０と接続端子を介して接続するものに限定されない。マイク１８の他の構成としては、リモコン装置３０にマイク１８が実装される構成としてもよい。この場合、マイク１８を介して入力される音声情報は、Ａ／Ｄ変換された後、赤外線信号に変換される。これにより音声情報はリモコンコードとしてリモコンＩ／Ｆ１４に受信される。リモコンＩ／Ｆ１４は、受信した赤外線信号を再度電気信号に変換し、マイコン１３ａに出力する。これにより、リモコン装置３０に実装されたマイク１８を介して、音声情報が当該ＨＤＤ内蔵型ディジタルテレビジョン１０に出力される。
【００２３】
本発明の実施の形態でのＨＤＤ内蔵型ディジタルテレビジョン１０のチューナ部１１は、アナログ放送とディジタル放送との両方を受信可能な構成としている。しかしながら、チューナ部１１の構成はこれに限定されず、ディジタル放送のみを受信する構成としてもよい。また、表示パネル１６は、液晶パネルディスプレイ、プラズマパネルディスプレイ、さらにはブラウン管ディスプレイのいずれかで構成されている。
【００２４】
上述した構成のＨＤＤ内蔵型ディジタルテレビジョン１０の具体的な機能について説明する。ユーザがリモコン装置３０を用いてチャネルの選択を行うと、リモコンＩ／Ｆ１４を介して操作信号がマイコン１３ａに出力される。マイコン１３ａは上記信号を受け取ると、チューナ部１１にリモコン装置３０により選択されたチャネルに対応した放送を受信するよう指示を出す。チューナ部１１はマイコン１３ａからの制御信号を受けて、アンテナ２０が受信したテレビジョン放送より選択されたチャネルに対応するビデオ信号を検波して同期分離回路１２に出力する。
【００２５】
リモコン装置３０の操作により、受信した映像並びに音声を出力する方法を説明する。チューナ部１１より出力されたビデオ信号は、同期分離回路１２に出力され、同期分離回路１２はビデオ信号より同期信号と映像信号さらには音声信号を分離して、信号処理部１３に出力する。信号処理部１３は、マイコン１３ａの指示の基、映像信号と音声信号に所定の信号処理を行うものである。そのため、信号処理部１３は、マイコン１３ａが駆動するためのプログラム等を記録するＲＯＭ１３ｃや、マイコン１３ａのワークテーブルとして働くＲＡＭ１３ｂ、映像信号に所定の信号処理を施すスケーラ部１３ｄ、さらには音声信号に所定の信号処理を施す音声回路１３ｅとを有している。
【００２６】
上記構成により、同期分離回路１２を介して入力された映像信号は、スケーラ部１３ｄにて信号処理を用いた画質調整が行われるとともに表示パネル１６の画素数に合わせてスケーリング処理を施され、表示パネル１６に出力される。また同様に、音声信号も音声回路１３ｅにてトーンコントロールや増幅が行われ、音声を出力するスピーカ１７に出力される。
【００２７】
次に、入力したビデオ信号を記録する場合を説明する。ユーザからリモコン装置３０を用いてビデオ信号の録画が指示されると、ビデオ信号は、同期分離回路１２を介してＨＤＤ記録部１５へ出力される。ＨＤＤ記録部１５は、記録媒体として不揮発性メモリとしてのＨＤＤを有するとともに、入力されたビデオ信号を圧縮して記録を行う。さらに、ビデオ信号の再生時には、ビデオ信号の圧縮を解凍して信号処理部１３に出力する。そのため、ＨＤＤ記録部１５は、記録媒体であるＨＤＤ１５ａと、ビデオ信号を圧縮するエンコーダ１５ｂ、さらには圧縮されたビデオ信号を解凍するデコーダ１５ｃと、上記エンコーダ１５ｂとデコーダ１５ｃとを制御するコントローラ１５ｄとを有している。
【００２８】
ＨＤＤ記録部１５の構成については、周知技術であるため、ここでは簡易的な説明に留める。同期分離回路１２を介して入力されたビデオ信号は、ＨＤＤ記録部１５に出力される。このとき、入力されたビデオ信号がアナログ放送であれば、コントローラ１５ｄによりビデオ信号はエンコーダ１５ｂに出力される。エンコーダ１５ｂは、ビデオ信号をＭＰＥＧ方式により圧縮する。その後、コントローラ１５ｄは、圧縮された映像データをＨＤＤ１５ａの所定のメモリ領域に記録する。また、入力されたビデオ信号がディジタル放送であれば、ビデオ信号は予めＭＰＥＧ方式にて圧縮されているため、コントローラ１５ｄは、録画方法の指示がない場合は、ビデオ信号の映像データをそのままＨＤＤ１５ａに記録する。
【００２９】
上述したようにエンコーダ１５ｂにて圧縮が行われた後、コントローラ１５ｄにて圧縮された映像データをＨＤＤ１５ａへ記録する。その後、ユーザがリモコン装置３０の操作によってビデオ信号の再生を指示すると、コントローラ１５ｄは、ＨＤＤ１５ａに記録された映像データの読み出しを行い、デコーダ１５ｃに出力する。さらに、デコーダ１５ｃにより圧縮の解凍が行われ、その後、信号処理部１３に出力され映像や音声を出力することとなる。
【００３０】
上述した構成により、本発明の実施の形態であるＨＤＤ内蔵型ディジタルテレビジョン１０は、ＨＤＤ１５ａに記録されたビデオ信号を選択して再生する。このとき、ユーザがリモコン装置３０を操作する手間を省くために、ＨＤＤ内蔵型ディジタルテレビジョン１０は、マイク１８から入力される音声情報に基づいて、自動で所定の番組を再生することが可能である。これにより、ユーザは音声情報を入力するだけで、番組の再生を行うことができ煩雑な操作から開放されることとなる。さらに、本発明の実施の形態でのＨＤＤ内蔵型ディジタルテレビジョン１０は、音声情報を受け付ける時間を予め登録して、音声情報を受付け可能時間以外には音声情報を受け付けない。これにより、ユーザがＨＤＤ内蔵型ディジタルテレビジョン１０を使用しない時間帯に、ノイズを誤って音声情報として認識してしまうことで起こる誤動作を防止することができる。これによりマイコン１３ａおＲＯＭ１３ｃはデータ再生装置を実現する。
【００３１】
（１−２）音声認識の手法
本発明の音声認識の具体的な構成の一例とて、ＲＯＭ１３ｃに記録した音声認識プログラム１００と、マイク１８(音声入力手段）より入力した音声情報に基づいて、マイコン１３ａが所定の処理を実行することにより実現される構成としている。これにより、マイコン１３ａとＲＯＭ１３ｃとは音声認識手段を実現する。ＲＯＭ１３ｃに記録された音声認識プログラムの一例としては、例えば、Juliusという音声認識ソフトが用いられて、膨大な音声パターンと言語パターンの統計データを集積することにより実現される。具体的には、ＲＯＭ１３ｃには、音声認識プログラムとして、音響モデルパターンテーブル１００ａ、コマンドテーブル１００ｂ（データ履歴記録手段）、識別情報抽出プログラム１００ｃ、音響モデルパターン取得プログラム１００ｄ、コマンド情報抽出プログラム１００ｅ、算出プログラム１００ｆ、さらには、上記各プログラムの制御を行う制御プログラム１００ｇ等か記録されている。
【００３２】
音響モデルパターンテーブル１００ａは、ユーザを識別する音声情報からなる識別情報と、音声信号の周波数パターンに関する音響モデルパターンとを対応付けて記録することができる。さらに、一つの識別情報に対して複数の音響モデルパターンとを対応付けて記録可能に構成され、算出プログラム１００ｆにより算出された音声認識率を、識別情報ごとに、且つ音響パターン毎に記録したテーブルである。具体的には、音響モデルパターンテーブルには、例えば、ユーザ１は、音響情報「ＡＡＡ」からなる識別情報を有し、かかる識別情報に対して複数の音響モデルパターンＡ、Ｂ、Ｃと、音声認識率が対応付けられて記録されている。
【００３３】
コマンドテーブル１００ｂは、ＨＤＤ内蔵型ディジタルテレビジョン１０を制御するための音声情報からなるコマンド情報と、認識情報とを対応付けて記録したテーブルである。具体的には、マイク１８から取得される音声情報に対応した認識情報と、上記認識情報に対応したコマンド情報として、ＨＤＤ１５ａに記録された映像データを選択するための条件としての履歴情報を記録している。
【００３４】
識別情報抽出プログラム１００ｃは、マイコン１３ａに、マイク１８により取得された音声情報に基づき音声認識を行い、識別情報を抽出する機能を有するプログラムである。音声認識の基本原理は、音響モデル（音素（ローマ字一文字にほほ相当）や音節（かな１文字に相当））の周波数パターンを保持し、単語辞書と呼ばれる映像データを参照しながら、入力された音声の音声波形信号から単音節部分を抜き出した音節列信号とマッチングを行い、音声の認識を行う。
【００３５】
具体的には、マイコン１３ａは、マイク１８より取得された音声情報の音声認識を予め設定された音響モデルパターンを用いて行い、音響モデルパターンテーブル１００ａに記録された識別情報の中から一致する識別情報を抽出する。また、音響モデルパターンテーブル１００ａに記録される識別情報は新たに記録させることが可能である。具体的な方法としては、後述する制御プログラム１００ｇによる設定時に、ユーザがマイク１８を用いて音声情報を入力することにより新たな識別情報を記録させることができる。
【００３６】
音響モデルパターン取得プログラム１００ｄは、マイコン１３ａに、識別情報抽出プログラム１００ｃの実行により抽出された識別情報に対応する音響モデルパターンを音響モデルパターンテーブル１００ａから取得する機能を実現するプログラムである。具体的には、マイコン１３ａは、音響モデルパターン取得プログラム１００ｄを実行することにより、識別情報抽出プログラム１００ｃの実行により抽出された識別情報に対応する音響モデルパターンを音響モデルパターンテーブル１００ａより取得し、また、識別情報抽出プログラム１００ｃにより抽出された識別情報に複数の音響モデルパターンが対応付けされて音響モデルパターンテーブル１００ａに記録されている場合、当該識別情報に対応付けられた音響モデルパターンの音声認識率の高い順に音声モデルパターンを取得する。例えば、「いつもの」からなる識別情報が抽出された場合、マイコン１３ａは、最初に、音声認識率の一番高い音響モデルパターンＡを取得し、次に、音響モデルパターンＢ、音響モデルパターンＣの順で取得する。
【００３７】
コマンド情報抽出プログラム１００ｅは、マイコン１３ａに、マイク１８により取得された音声情報の音声認識を行い、音声認識結果に基づくコマンド情報を抽出する機能を実現させるプログラムである。具体的には、マイコン１３ａは、コマンド情報抽出プログラム１００ｅを実行することにより、音響モデルパターン取得プログラム１００ｄにより取得された音響モデルパターンを用いて音声情報の音声認識を行い、コマンドテーブル１００ｂに記録されたコマンド情報の中から一致するコマンド情報を抽出する。
【００３８】
算出プログラム１００ｆは、マイコン１３ａに音声認識結果に基づく、音声認識率を算出するプログラムである。具体的には、マイコン１３ａは、算出プログラム１００ｆを実行することにより、音響モデルパターンテーブル１００ａに記録された、識別情報毎ごとであって、且つ音響モデルパターンテーブル毎に、コマンド情報抽出プログラム１００ｅの実行による音声認識率を算出する。
【００３９】
制御プログラム１００ｇは、コマンド情報抽出プログラム１００ｅが抽出したコマンド情報に基づいて、マイコン１３ａが実行する処理の制御を行う。本発明では、制御プログラムは、ＨＤＤ１５ａに記録された映像データを再生するとともに、再生する映像データを選択するための履歴情報に基づいて選択する処理をマイコン１３ａに実行させる。また、前述したように、制御プログラム１００ｇは、コマンドテーブル１００ｂに記録された識別情報や、コマンド情報の書き換えを受け付ける。以下に制御プログラム１００ｇに記録される具体的なプログラムの説明を行う。
【００４０】
（１−３）音声情報による再生方法
以下に制御プログラム１００ｇの具体的な処理を説明する。図２は、ＲＯＭ１３ｃに記録される制御プログラムによりマイコン１３ａが実行するフローチャートである。ユーザがマイク１８を用いて所定の音声情報を入力してディジタル音声信号を音声回路１３ｅに出力すると、マイコン１３ａは音声情報を受け付け（ステップＳ１００）、音声情報を受け付けた時間が予め登録された時間であるかを判断する（ステップＳ１１０）。マイコン１３ａが時間を判断する方法の一例としては、マイコン１３ａに内蔵された内部クロックを用いて音声情報の入力時間を判断する方法が上げられる。このとき、音声情報を入力した時間が、予め登録された時間帯でない場合は、マイコン１３ａは、音声情報の入力を受け付けない。
【００４１】
音声情報の取得時間が、予め登録された時間帯である場合は、マイコン１３ａは音声情報を受け付ける。このときユーザが発する音声情報は、制御プログラム１００ｇを用いて予め決定された認識情報に基づくものである。マイコン１３ａは音声情報に対応する音声信号の検出を行うと、ＲＯＭ１３ｃに記録された制御プログラム１００ｇを読み出し、入力された音声情報に対して音声認識を行う（ステップＳ１２０）。次に、マイコン１３ａは、音声認識により認識された音声情報を、ＲＯＭ１３ｃに記録されたコマンドテーブル１００ｂの認識情報と一致するかマッチングを行う（ステップＳ１３０）。
【００４２】
図３は、一例としてのコマンドテーブル１００ｂを表す図である。同図より、図中左端より、認識情報とコマンド情報とが記録され、認識情報「いつもの」に対応するコマンド情報は「再生頻度が一番多いもの」とし、認識情報「あれあれ」に対応するコマンド情報は「再生頻度が一番少ないもの」としている。ここで、「再生頻度が一番多い」とは、ＨＤＤ１５ａに記録された映像データの中で、再生された回数が一番多いものを表す。また、「再生頻度が一番少ない」とは、ＨＤＤ１５ａに記録された映像データの中で、再生された回数が一番少ないものを表す。上述したコマンドテーブル１００ｂにより、ユーザが音声情報を「いつもの」と入力した場合は、マイコン１３ａは、履歴テーブル１１０を参照して、ＨＤＤ１５ａに記録された映像データの中から、再生頻度が一番多いものを選択する。また、ユーザが音声情報を「あれあれ」と入力した場合は、マイコン１３ａは、履歴テーブル１１０を参照して、ＨＤＤ１５ａに記録された映像データの中から、再生頻度が一番少ないものを選択する。
【００４３】
上述したマッチングにより入力された音声情報とコマンドテーブル１００ｂに記録された認識情報とが一致した場合は（ステップＳ１４０）、マイコン１３ａは、ＲＯＭ１３ｃに記録されたコマンド情報抽出プログラム１００ｅにより、コマンドテーブル１００ｂに記録されたコマンド情報を取得する（ステップＳ１５０）。その後、マイコン１３ａは、ＲＯＭ１３ｃに記録された履歴テーブル１１０を参照するとともに（ステップＳ１６０）、取得したコマンド情報である、履歴情報に基づいて録画された番組を選択する（ステップＳ１７０）。また、マッチングがより一致しない場合は（ステップＳ１４０）、マイコン１３ａは、最も再生頻度の高い履歴情報を持つ映像データを選択する（ステップＳ１８０）。その後、マイコン１３ａは選択した映像データの再生指示を出す（ステップＳ１９０）。
【００４４】
以下に履歴テーブル１１０について説明を行う。図４は、ＲＯＭ１３ａに記録される履歴テーブル１１０を表す図である。同図より履歴テーブル１１０は、過去一ヶ月における、履歴情報が記録され、左端より、放送番組と、番組名称、さらには再生回数が記録されている。図４の履歴てーぶるより、再生回数が一番多いものは、Ａ放送局のドラマ１であり、再生回数が一番少ないものは、Ｄ放送局のドラマ４である。そのため、ＨＤＤ内蔵型ディジタルテレビジョン１０が音声情報「いつもの」を取得した際には、マイコン１３ａは、ドラマ１を選択し、音声情報「あれあれ」を取得した際には、マイコン１３ａドラマ４を選択する。
【００４５】
コマンドテーブル１００ｂに記録されるコマンド情報の他の例としては、「録画頻度」等が挙げられる。ここで、「録画頻度」とは、ＨＤＤ１５ａに記録された同ジャンルの内一番多く録画されたものを表し、一例として録画されたジャンルが一番多い映像データが「スポーツ」であった場合は、スポーツ番組を再生する。そのため、履歴テーブル１１０には、ジャンル「スポーツ」に対応した映像データの録画頻度を記録させておくことで、対応が可能となる。上述した履歴情報は、ビデオ信号の取得とともにＲＯＭ１３ｃに記録させておく。
【００４６】
ステップＳ１４０にて、入力された音声情報と認識情報とが一致しない場合は、マイコン１３ａは、再度ユーザからの音声入力を受け付ける。再生する映像データをＨＤＤ１５ａに記録された中より選択した後、マイコン１３ａは、コントローラ１５ｄに、選択した番組を再生するよう指示を出す（ステップＳ１８０）。これにより、コントローラ１５ｄは、マイコン１３ａからの指示を受け取って、選択された映像データの再生を実行する。  
【００４７】
（２）第一の実施の形態のまとめ
以上説明したように、本発明の第一の実施の形態におけるＨＤＤ内蔵型ディジタルテレビジョン１０は、マイク１８より入力された音声情報に基づいて、ＨＤＤ１５ａに記録された映像データを選択する。また、このとき選択される映像データは、同時に記録された履歴情報に基づいて自動で選択される。これにより、ユーザは、再生時のリモコン装置３０を用いた操作を必要とせず、煩雑な操作から開放されることとなる。
【００４８】
（３）第二の実施の形態
前述した第一の実施の形態では、予め登録された音声情報を入力することにより、ＨＤＤ１５ａに記録された映像データの選択と再生を実施した。また、このとき、音声情報を入力する時間帯を予め制限しておくことにより、ノイズによるＨＤＤ内蔵型ディジタルテレビジョン１０の誤動作を防止することが可能である。さらに、本発明の第二の実施の形態では、音声が入力される時間帯によって、参照する履歴情報を変化させ、映像データを再生する時間帯に応じて、選択する映像データを変更する構成とした。これは、ユーザ側で再生する時間に応じた番組を再生するために、再生を行う番組の履歴情報を登録しておくことで、視聴する時間に応じた番組を再生することを目的としている。
【００４９】
以下に第二の実施の形態でのＨＤＤ内蔵型ディジタルテレビジョン１０の構成を説明する。図５は、第二の実施の形態にてマイコンが参照するコマンドテーブルを表す図である。また、図６は、第二の実施の形態にて実行される制御プログラムのフローチャートである。図５より、コマンドテーブルは、図３と同様に、図中左端より、認識情報と、コマンド情報として映像データを再生するために参照する履歴情報が記録されている。しかしながら、第二の実施の形態では、ＲＯＭ１３ｃに複数のコマンドテーブル１００ｂを記録するとともに、音声情報を取得した時間帯に応じて参照するコマンドテーブル使い分ける構成としている。
【００５０】
具体的には、朝８時から１０時の時間帯に音声情報が取得された場合は、マイコン１３ａが参照するコマンドテーブルは、５−ａのコマンドテーブルであり、認識情報「いつもの」に対応するコマンド情報は「再生頻度が一番多いもの」とし、認識情報「あれあれ」に対応するコマンド情報は「再生頻度が一番少ないもの」が記録されている。同様に、午後１時から午後５時までは、マイコン１３ａが参照するのは５−ｂのコマンドテーブル１００ｂであり、さらに、午後８時から午後１０までは、マイコン１３ａが参照するのは５−ｃのコマンドテーブル１００ｂである。
【００５１】
マイコン１３ａは、音声情報が取得され、制御プログラム１００ｇが実行されると、上記各時間帯に対応したコマンドテーブル１００ｂのコマンド情報を参照して、ＨＤＤ１５ａに記録された再生を行う映像データを選択する。以下に、図６を基に、制御プログラムによるマイコン１３ａの処理を説明する。マイク１８により音声情報が取得されると、マイコン１３ａは音声情報を受け付け（ステップＳ２００）、音声情報を受け付けた時間が予め登録された時間であるかを判断する（ステップＳ２１０）。このとき、音声情報を入力した時間が、予め登録された時間帯でない場合は、マイコン１３ａは、音声情報の入力を受け付けない。
【００５２】
音声情報の取得時間が予め登録された時間帯である場合は、マイコン１３ａは上記音声情報を受け付ける。マイコン１３ａは音声情報の検出を行うと、ＲＯＭ１３ｃに記録された制御プログラム１００ｇを読み出し、入力された音声情報に対して音声認識を行う（ステップＳ２２０）。このとき、音声認識によりマイコン１３ａは、音声情報が取得された時間に応じたコマンドテーブル１００ｂをＲＯＭ１３ｃから読み出す（ステップＳ２３０）。さらに、マイコン１３ａは、音声認識により認識された音声情報を、参照したコマンドテーブル１００ｂに記録された認識情報と一致するかマッチングを行う（ステップＳ２４０）。
【００５３】
上述したマッチングにより入力された音声情報と認識情報とが一致した場合は（ステップＳ２５０）、マイコン１３ａは、コマンド情報抽出プログラム１００ｅによりコマンドテーブル１００ｂのコマンド情報を取得する（ステップＳ２６０）。さらに、マイコン１３ａは、ＨＤＤ１５ａに記録された履歴テーブル１１０を参照して、取得したコマンド情報に対応する映像データを選択する（ステップＳ２７０）。このとき、参照するコマンド情報に基づく映像データがＨＤＤ１５ａに記録されていない場合は（ステップＳ２８０）、マイコン１３ａは、最も再生頻度の高い履歴情報を持つ映像データを選択する（ステップＳ２９０）。同様に、マッチングが一致しない場合も、最も再生頻度の高い履歴情報を持つ映像データを選択する。最後に、マイコン１３ａは、コントローラ１５ｄに再生を行う映像データを解凍するよう指示を出す（ステップ３００）。また、第二の実施の形態においても、第一の実施の形態同様、制御プログラム１００ｇを用いて、コマンドテーブル１００ｂの、認識情報、並びにコマンド情報をユーザが書き換えることが可能である。
【００５４】
（４）第二の実施の形態のまとめ
以上説明したように、第二の実施の形態での、ＨＤＤ内蔵型ディジタルテレビジョン１０では、音声情報が入力される時間帯に応じて、参照する履歴情報を変化させることにより再生を行う映像データを選択する。これにより、ユーザが視聴を行う時間帯に合わせて再生する映像データの内容を変更することが可能となり、ユーザの嗜好に応じて視聴する時間帯に応じた番組を放送することが可能となる。
【００５５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５６】
【図１】ＨＤＤ内蔵型ディジタルテレビジョンのブロック構成図である。
【図２】ＲＯＭに記録される制御プログラムによりマイコンが実行するフローチャートである。
【図３】一例としてのコマンドテーブルを表す図である。
【図４】ＲＯＭに記録される履歴テーブルを表す図である。
【図５】第二の実施の形態にてマイコンが参照するコマンドテーブルを表す図である。
【図６】第二の実施の形態にて実行される制御プログラムのフローチャートである。
【図７】従来のＨＤＤ内蔵型ディジタルテレビジョンのブロック構成図である。
【符号の説明】
【００５７】
１０…ＨＤＤ内蔵型ディジタルテレビジョン、１１…チューナ部、１２…同期分離回路、１３…信号処理部、１３ａ…マイコン、１３ｂ…ＲＡＭ、１３ｃ…ＲＯＭ、１３ｄ…スケーラ部、１３ｅ…音声回路、１４…リモコンＩ／Ｆ、１５…ＨＤＤ記録部、１５ａ…ＨＤＤ、１５ｂ…エンコーダ、１５ｃ…デコーダ、１５ｄ…コントローラ、１６…表示パネル、１７…スピーカ、１８…マイク、１９…外部入力端子、２０…アンテナ、３０…リモコン装置、１００…音声認識プログラム、１００ａ…音響モデルパターンテーブル、１００ｂ…コマンドテーブル、１００ｃ…識別情報抽出プログラム、１００ｄ…音響モデルパターン取得プログラム、１００ｅ…コマンド情報抽出プログラム、１００ｆ…算出プログラム、１００ｇ…制御プログラム、１１０…履歴テーブル
【図１】
2008103910.tif 000003
【図２】
2008103910.tif 000004
【図３】
2008103910.tif 000005
【図４】
2008103910.tif 000006
【図５】
2008103910.tif 000007
【図６】
2008103910.tif 000008
【図７】
2008103910.tif 000009